(57)【要約】【課題】構造的な効率および処理効率がよく、医療現場で安全に使用できる医療用針の処理装置を提供する。【解決手段】樹脂製の針基１に金属製の針管２が取り付けられた医療用針３０の処理装置であって、上記針管１の針基２にインサートされた部分に焦点を当てて、光透過性の樹脂からなる針基２を通して針管１に加熱光を照射することにより針管１を加熱する光加熱手段３と、上記加熱された針管１を針基２から抜き取る抜き取り手段４とを備えたことにより、針管１加熱の熱源として赤外領域や可視領域の加熱光を用いることから、従来のように高周波が他の医療機器に障害を与えることがない。また、放電加熱や火炎加熱に比べてピンポイント加熱が可能であるため熱傷事故の原因になりにくく、加熱光によって針管１を加熱しながら針管１を抜き取ることも可能となって、従来に比べて構造的な無駄を少なくできる。【選択図】図１
2010069032.tif 000002
【特許請求の範囲】
【請求項１】
樹脂製の針基に金属製の針管が取り付けられた医療用針の処理装置であって、上記針管の針基に接合された部分に焦点を当てて、光透過性の樹脂からなる針基を通して針管に加熱光を照射することにより針管を加熱する光加熱手段と、上記加熱された針管を針基から抜き取る抜き取り手段とを備えたことを特徴とする医療用針の処理装置。
【発明の詳細な説明】
【技術分野】
【０００１】
本発明は、透析針や注射針等の使用済み医療用針を安全に廃棄するために処理する医療用針の処理装置に関するものである。
【背景技術】
【０００２】
従来から、樹脂製の針基に金属製の針管がインサート成形された透析針や注射針等の医療用針は、使用済みのものを安全に廃棄するため、針管を加熱することにより樹脂製の針基から針管を抜き取ることが行なわれている。従来の処理装置では、針管を加熱する加熱手段として、主として高周波加熱が使用され、その他、放電加熱、火炎加熱、超音波加熱等が例示されている（例えば、下記の特許文献１および２）。
【特許文献１】特開平１１−１０４１９２号公報
【特許文献２】特開２００１−２５４９３号公報
【発明の開示】
【発明が解決しようとする課題】
【０００３】
しかしながら、高周波加熱では、当然のことながら高周波を発生するため、他の医療機器への障害を発する可能性があり、医療現場で使用するには問題がある。また、放電加熱や火炎加熱では、熱傷事故の原因になりやすく、医療現場で使用するには安全面に問題がある。さらに、超音波加熱では、金属製の針管を振動子に接触させなければ加熱できないため、針管を加熱する動作と、針管を掴んで針基から抜き取る動作とを異なるアクションで行なわねばならず、構造的に無駄の多い装置とならざるをえないうえ、処理工程も２段階になるため、処理効率も悪いという問題がある。
【０００４】
本発明は、このような事情に鑑みなされたもので、構造的な効率および処理効率がよく、医療現場で安全に使用できる医療用針の処理装置の提供をその目的とする。
【課題を解決するための手段】
【０００５】
上記目的を達成するため、本発明の医療用針の処理装置は、樹脂製の針基に金属製の針管が取り付けられた医療用針の処理装置であって、上記針管の針基にインサートされた部分に焦点を当てて、光透過性の樹脂からなる針基を通して針管に加熱光を照射することにより針管を加熱する光加熱手段と、上記加熱された針管を針基から抜き取る抜き取り手段とを備えたことを要旨とする。
【発明の効果】
【０００６】
すなわち、本発明の医療用針の処理装置は、上記針管の針基に接合された部分に焦点を当てて、光透過性の樹脂からなる針基を通して針管に加熱光を照射することにより針管を加熱し、上記加熱された針管を針基から抜き取る。このように、針管加熱の熱源として赤外領域や可視領域の加熱光を用いることから、従来のように高周波が他の医療機器に障害を与えることがない。また、放電加熱や火炎加熱に比べてピンポイント加熱が可能であるため熱傷事故の原因になりにくい。さらに、加熱光によって針管を加熱しながら針管を抜き取ることも可能となって、従来に比べて構造的な無駄を少なくでき、処理効率も向上させることができる。
【発明を実施するための最良の形態】
【０００７】
つぎに、本発明の実施の形態を詳しく説明する。
【０００８】
図１は、本発明の医療用針の処理装置の一実施の形態を示す。この処理装置が処理対象とする医療用針３０は、樹脂製の針基２に金属製の針管１がインサート成形等により取り付けられたものであり、例えば、注射針、透析針、針付医療用チューブ等があげられる。
【０００９】
上記処理装置は、上記針管１の針基２に接合された部分に焦点を当てて、光透過性の樹脂からなる針基２を通して針管１に加熱光を照射することにより針管１を加熱する光加熱手段３と、上記加熱された針管１を針基２から抜き取る抜き取り手段４とを備えて構成されている。
【００１０】
より詳しく説明すると、上記処理装置は、医療用針３０の針管１の先端が挿入される挿入穴１１が形成された位置決め部材１０と、上記挿入穴１１に挿入された針管１をガイドするガイド穴１２が形成されたガイド部材９とを備えている。
【００１１】
上記抜き取り手段４は、金属製の針管１の焼損手段を兼ねており、図示しない制御手段により回転駆動制御されることにより、ガイド部材９でガイドされた針管１を挟んで送る一対のロール電極５と、上記ロール電極５で送られる針管１の先端が突き当てられる突き当て電極６とを含んで構成されている。上記ロール電極５と突き当て電極６との間には、所定の電圧が印加されている。
【００１２】
これにより、ロール電極５に挟まれて送られる針管１の先端が突き当て電極６に突き当てられると、ロール電極５と突き当て電極６との間で針管１に電流が流れ、抵抗加熱により針管１が加熱されて先端側から順次焼損するようになっている。針管１の先端部分が焼損すると、さらにロール電極５で針管１が送られて先端側が突き当て電極６に接触し、順次、針管１の焼損と送りを行なうようになっている。
【００１３】
一方、上記針管１の焼損と送りが行なわれていくと、針管１は位置決め部材１０の挿入穴１１に順次挿入され、やがて針基２が位置決め部材１０に突き当たって針管１の送りが停止する。この針管１の送りの停止は、例えば、所定位置にきたことを図示しないセンサで検知してロール電極５の回転駆動を停止することにより行なうことができる。したがって、上記位置決め部材１０やセンサ等により、医療用針３０の位置決め手段を構成している。
【００１４】
そして、上記光加熱手段３は、上記所定位置に位置決めされた医療用針３０の針管１と針基２がインサートにより接合された部分に焦点を当て、光透過性の樹脂からなる針基２を通して針管１に加熱光を照射して加熱する。
【００１５】
上記光加熱手段３としては、具体的には、例えばハロゲンランプ、赤外線ランプ、キセノンランプ、レーザ等をあげることができるが、高密度照射が可能で、起動時間が短くてスポット的な短時間加熱が容易で、放射への変換効率も高いハロゲンランプを好ましく用いることができる。上記ハロゲンランプとしては、ハロゲン球の光を凹面鏡で集光して針管１と針基２の接合部に焦点をあて、針基２を通過した光を針管１に照射して加熱するものを用いることができる。具体的には、例えば、インフリッヂ工業株式会社のハロゲンスポットヒーターＬＣＢ−５０を用いることができるが、これに限定するものでないことは言うまでもない。
【００１６】
上記位置決め手段により医療用針３０が所定位置に位置決めされたのを検知すると、上記光加熱手段３による光照射が開始される。光照射の照射時間はタイマ等で計測され、所定時間の照射が終わると、再びロール電極５の回転駆動が開始されて針管１が挟んで送られ、加熱された針管１が針基２から抜き取られる。
【００１７】
このように、ロール電極５と突き当て電極６との針管１の焼損により、医療用針３０の根元の針基２が所定位置に位置決めされるまで焼損したら、光加熱手段３による加熱が行なわれ、抜き取り手段４による針管１の抜き取りが行なわれる。
【００１８】
針管１の抜き取りに伴って針管１がロール電極５により送られると、針管１はさらに突き当て電極６に付き当てられて焼損が続けられる。このように、抜き取り手段４による針管１の抜き取りは、焼損に使用するロール電極５の回転駆動によって行なわれる。このように、焼損手段として使用されるロール電極５が抜き取り手段４を兼ねていることから、部品点数が少なく設備効率がよくなる。焼損した針管１は、ホッパ７で集められて回収箱８に回収される。
【００１９】
以上のように、本実施形態の医療用針３０の処理装置は、上記針管１の針基２にインサートされた部分に焦点を当てて、光透過性の樹脂からなる針基２を通して針管１に加熱光を照射することにより針管１を加熱し、上記加熱された針管１を針基２から抜き取る。このように、針管１加熱の熱源として赤外領域や可視領域の加熱光を用いることから、従来のように高周波が他の医療機器に障害を与えることがない。また、放電加熱や火炎加熱に比べてピンポイント加熱が可能であるため熱傷事故の原因になりにくい。さらに、加熱光によって針管１を加熱しながら針管１を抜き取ることも可能となって、従来に比べて構造的な無駄を少なくでき、処理効率も向上させることができる。
【００２０】
図２は、本発明の第２実施形態の医療用針の処理装置を示す図である。
【００２１】
この例では、ガイド部材９に代えて一対の抜き取りロール１３が設けられ、上記抜き取りロール１３が抜き取り手段４を構成している。そして、針管１を焼損するための焼損手段１６として、電圧が印加された第１ロール電極１４と第２ロール電極１５が設けられている。
【００２２】
これにより、医療用針３０の針管１が挿入穴１１から挿入されたのを図示しない検知手段としてのセンサで検知すると、図示しない制御手段は、抜き取りロール１３を回転駆動するよう制御して針管１を前方に送る。こうすることにより、針管１が先端から第１ロール電極１４と第２ロール電極１５に挟まれて電流が流されることにより加熱され、先端側から順次焼損され、焼損くずが回収箱８に収容される。このとき、第１ロール電極１４と第２ロール電極１５に挟まれて送られながら電流を流すことにより焼損を行なうことから、焼損の過程で針管１の表面に酸化皮膜が生じても、焼損の継続に悪影響が生じにくく、スムーズに焼損を行なうことができる。
【００２３】
つぎに、上記針管１の焼損と送りが行なわれていくと、針基２が位置決め部材１０に突き当たって針管１の送りが停止する。この針管１の送りの停止は、例えば、所定位置にきたことを図示しないセンサで検知して抜き取りロール１３の回転駆動を停止することにより行なうことができる。このとき、第１ロール電極１４と第２ロール電極１５の駆動や通電も同時に停止することが行なわれる。
【００２４】
上記位置決め手段により医療用針３０が所定位置に位置決めされたのを検知すると、上記光加熱手段３による光照射が開始され、上記所定位置に位置決めされた医療用針３０の針管１と針基２がインサートにより接合された部分に焦点を当て、光透過性の樹脂からなる針基２を通して針管１に加熱光を照射して加熱する。光照射の照射時間はタイマ等で計測され、所定時間の照射が終わると、再び抜き取りロール１３の回転駆動および第１ロール電極１４と第２ロール電極１５の駆動や通電が開始され、加熱された針管１が針基２から抜き取られるとともに送られた針管１の焼損が行なわれる。
【００２５】
それ以外は、上記第１実施形態と同様であり、同様の部分には同じ符号を付している。また、上記以外は、上記第１実施形態と同様の作用効果を奏する。
【００２６】
図３は、本発明の第３実施形態の医療用針の処理装置を示す図である。
【００２７】
この例では、ガイド部材９に代えて一対の抜き取りロール１３が設けられ、上記抜き取りロール１３が抜き取り手段４を構成し、焼損手段は設けられていない。
【００２８】
これにより、医療用針３０の針管１が挿入穴１１から挿入されたのを図示しない検知手段としてのセンサで検知すると、図示しない制御手段は、抜き取りロール１３を回転駆動するよう制御して針管１を前方に送る。そして、上記針管１が送られて針基２が位置決め部材１０に突き当たって針管１の送りが停止する。この針管１の送りの停止は、例えば、所定位置にきたことを図示しないセンサで検知して抜き取りロール１３の回転駆動を停止することにより行なうことができる。
【００２９】
上記位置決め手段により医療用針３０が所定位置に位置決めされたのを検知すると、上記光加熱手段３による光照射が開始され、上記所定位置に位置決めされた医療用針３０の針管１と針基２がインサートにより接合された部分に焦点を当て、光透過性の樹脂からなる針基２を通して針管１に加熱光を照射して加熱する。光照射の照射時間はタイマ等で計測され、所定時間の照射が終わると、再び抜き取りロール１３の回転駆動が開始され、加熱された針管１が針基２から抜き取られる。そして、抜き取られた針管１は焼損されずにそのまま回収箱８に収容される。
【００３０】
それ以外は、上記第１実施形態と同様であり、同様の部分には同じ符号を付している。また、上記以外は、上記第１実施形態と同様の作用効果を奏する。
【図面の簡単な説明】
【００３１】
【図１】本発明の一実施形態の医療用針の処理装置を示す構成図である。
【図２】本発明の第２実施形態の医療用針の処理装置を示す構成図である。
【図３】本発明の第３実施形態の医療用針の処理装置を示す構成図である。
【符号の説明】
【００３２】
１：針管
２：針基
３：光加熱手段
４：抜き取り手段
５：ロール電極
６：突き当て電極
７：ホッパ
８：回収箱
９：ガイド部材
１０：位置決め部材
１１：挿入穴
１２：ガイド穴
１３：抜き取りロール
１４：第１ロール電極
１５：第２ロール電極
１６：焼損手段
３０：医療用針
【図１】
2010069032.tif 000003
【図２】
2010069032.tif 000004
【図３】
2010069032.tif 000005